【手続補正書】
【提出日】平成27年9月25日(2015.9.25)
【手続補正１】
【補正対象書類名】特許請求の範囲
【補正対象項目名】全文
【補正方法】変更
【補正の内容】
【特許請求の範囲】
【請求項１】
入力画像を第１領域と第２領域とに区分した区分結果を出力する区分手段と、
前記第１領域と前記第２領域との配置が変更されたか否かを判断する判断手段と、
前記区分結果に基づいて、前記第１領域に第１の画像処理を施し、前記第２領域に前記第１の画像処理と異なる第２の画像処理を施す画像処理手段と、
を備え、
前記判断手段が前記第１領域と前記第２領域との配置が変更されたと判断したことに応じて、前記画像処理手段は、前記第１領域と前記第２領域とに所定の画像処理を施す
ことを特徴とする画像処理装置。
【請求項２】
前記判断手段が前記入力画像の前記第１領域と前記第２領域との配置が変更されたと判断したのちに、前記区分結果が更新されたことに応じて、前記画像処理手段は、更新された前記区分結果に基づいて、前記第１領域に前記第１の画像処理を施し、前記第２領域に前記第２の画像処理を施すことを特徴とする請求項１に記載の画像処理装置。
【請求項３】
前記区分手段は、前記判断手段が前記第１領域と前記第２領域との配置が変更されたと判断したことに応じて、前記第１領域と前記第２領域に区分する処理を開始する
ことを特徴とする請求項１または請求項２に記載の画像処理装置。
【請求項４】
入力画像を分割して得られる複数の分割領域それぞれの特徴量を取得する取得手段を備え、
前記判断手段は、前記区分手段から前記区分結果を取得し、前記分割領域のうち前記第１領域のみを含む第１分割領域の前記特徴量が第１閾値よりも大きい場合、前記第１領域と前記第２領域との配置が変更されたと判断する
ことを特徴とする請求項１乃至請求項３のいずれか１項に記載の画像処理装置。
【請求項５】
入力画像を分割して得られる複数の分割領域それぞれの特徴量を取得する取得手段を備え、
前記判断手段は、前記区分手段から前記区分結果を取得し、
前記分割領域のうち前記第２領域のみを含む第２分割領域の前記特徴量が第２閾値よりも小さい場合、前記第１領域と前記第２領域との配置が変更されたと判断する
ことを特徴とする請求項１乃至請求項４のいずれか１項に記載の画像処理装置。
【請求項６】
入力画像を分割して得られる複数の分割領域それぞれの特徴量を取得する取得手段を備え、
前記判断手段は、
各分割領域の前記特徴量の変化量に基づいて、前記第１領域と前記第２領域との配置が変更されたか否かを判断する
ことを特徴とする請求項１乃至請求項５のいずれか１項に記載の画像処理装置。
【請求項７】
前記判断手段は、
前記複数の分割領域のうち、少なくとも１つの前記分割領域の前記特徴量の前記変化量が第３閾値より大きい場合に、前記第１領域と前記第２領域との配置が変更されたと判断する
ことを特徴とする請求項６に記載の画像処理装置。
【請求項８】
前記判断手段は、前記区分手段から前記区分結果を取得し、前記分割領域のうち、前記第１領域と前記第２領域とを含む第３分割領域の前記特徴量の前記変化量が、前記第３閾値より大きい場合に、前記第１領域と前記第２領域の配置が変更されたと判断することを特徴とする請求項７に記載の画像処理装置。
【請求項９】
前記取得手段は、前記入力画像が入力されるフレームごとに前記分割領域の前記特徴量を取得し、
前記判断手段は、前記分割領域の前記特徴量の１フレーム前からの変化量に基づいて、前記第１領域と前記第２領域との配置が変更されたか否かを判断することを特徴とする請求項６乃至請求項８のいずれか１項に記載の画像処理装置。
【請求項１０】
前記区分手段は、前記入力画像を分割して得られた前記分割領域よりも小さい複数の細分割領域毎に、前記第１領域と前記第２領域とのいずれかであるかを区分した前記区分結果を出力し、
前記画像処理手段は、前記第１領域と区分けされた前記細分割領域に前記第１の画像処理を施し、前記第２領域と区分けされた前記細分割領域に前記第２の画像処理を施すことを特徴とする請求項４乃至請求項９のいずれか１項に記載の画像処理装置。
【請求項１１】
前記第１領域は、モノクロ領域であり、前記第２領域は、カラー領域であり、前記特徴量は、前記分割領域の全画素数に対するモノクロ画素の数またはカラー画素の数の割合であることを特徴とする請求項４乃至請求項１０のいずれか１項に記載の画像処理装置。
【請求項１２】
前記区分手段は、前記判断手段が前記入力画像の前記第１領域と前記第２領域との配置が変更されたか否かを判断する期間よりも長い所定の期間をかけて、前記入力画像を前記第１領域と前記第２領域とに区分けし、前記区分結果を更新することを特徴とする請求項１乃至請求項１１のいずれか１項に記載の画像処理装置。
【請求項１３】
前記区分手段は、前記所定の期間毎に、前記入力画像を前記第１領域と前記第２領域とに区分けし、前記区分結果を更新することを特徴とする請求項１２に記載の画像処理装置。
【請求項１４】
前記所定の画像処理は、前記第１の画像処理もしくは前記第２の画像処理のいずれかであることを特徴とする請求項１乃至請求項１３のいずれか１項に記載の画像処理装置。
【請求項１５】
前記第１領域は、モノクロ領域であり、前記第２領域は、カラー領域であることを特徴
とする請求項１乃至請求項１４のいずれか１項に記載の画像処理装置。
【請求項１６】
入力画像を第１領域と第２領域とに区分した区分結果を出力する区分工程と、
前記第１領域と前記第２領域との配置が変更されたか否かを判断する判断工程と、
前記区分結果に基づいて、前記第１領域に第１の画像処理を施し、前記第２領域に前記第１の画像処理と異なる第２の画像処理を施す画像処理工程と、
を備え、
前記判断工程で前記第１領域と前記第２領域との配置が変更されたと判断されたことに応じて、前記画像処理工程で、前記第１領域と前記第２領域とに所定の画像処理が施される
ことを特徴とする画像処理装置の制御方法。
【手続補正２】
【補正対象書類名】明細書
【補正対象項目名】００１４
【補正方法】変更
【補正の内容】
【００１４】
本発明の画像処理装置は、
入力画像を第１領域と第２領域とに区分した区分結果を出力する区分手段と、
前記第１領域と前記第２領域との配置が変更されたか否かを判断する判断手段と、
前記区分結果に基づいて、前記第１領域に第１の画像処理を施し、前記第２領域に前記第１の画像処理と異なる第２の画像処理を施す画像処理手段と、
を備え、
前記判断手段が前記第１領域と前記第２領域との配置が変更されたと判断したことに応じて、前記画像処理手段は、前記第１領域と前記第２領域とに所定の画像処理を施す
ことを特徴とする。
【手続補正３】
【補正対象書類名】明細書
【補正対象項目名】００１５
【補正方法】変更
【補正の内容】
【００１５】
本発明の画像処理装置の制御方法は、
入力画像を第１領域と第２領域とに区分した区分結果を出力する区分工程と、
前記第１領域と前記第２領域との配置が変更されたか否かを判断する判断工程と、
前記区分結果に基づいて、前記第１領域に第１の画像処理を施し、前記第２領域に前記第１の画像処理と異なる第２の画像処理を施す画像処理工程と、
を備え、
前記判断工程で前記第１領域と前記第２領域との配置が変更されたと判断されたことに応じて、前記画像処理工程で、前記第１領域と前記第２領域とに所定の画像処理が施される
ことを特徴とする。